(57)【要約】【課題】良好な操作性を有し、硬貨の払出し時間の短い、小型の入出金装置を提供する。入出金装置を備えた小型の精算装置を提供する。【解決手段】投入口から投入された貨幣を識別して収納し、排出口から貨幣を排出する入出金装置であって、複数の貨幣収納部と、貨幣収納部からの貨幣を排出口へ搬送する搬送部と、を有する。複数の貨幣収納部は、搬送部へ貨幣を排出するための貨幣排出口を備えている。搬送部は、複数の貨幣収納部の下方に配置され、且つ、搬送方向の下流側が上流側よりも上方となるように、排出口へ向かって傾斜配置された搬送路を有する。排出口は、投入口の近傍位置に設けられている。【選択図】図２
2018036925.tif 000002
【特許請求の範囲】
【請求項１】
投入口から投入された貨幣を識別して収納し、排出口から貨幣を排出する入出金装置であって、
複数の貨幣収納部と、
前記貨幣収納部からの貨幣を前記排出口へ搬送する搬送部と、を有し、
前記複数の貨幣収納部は、前記搬送部へ貨幣を排出するための貨幣排出口を備え、
前記搬送部は、前記複数の貨幣収納部の下方に配置され、且つ、搬送方向の下流側が上流側よりも上方となるように、前記排出口へ向かって傾斜配置された搬送路を有し、
前記排出口は、前記投入口の近傍位置に設けられていることを特徴とする
入出金装置。
【請求項２】
前記複数の貨幣収納部は、貨幣の種類に応じて大きさが異なり、収納容量が少ない貨幣収納部ほど、装置本体部内で前面側である排出口側に配置されている
ことを特徴とする請求項１に記載の入出金装置。
【請求項３】
前記複数の貨幣収納部は、収納容量が少ない貨幣収納部ほど、使用頻度の少ない種類の硬貨を収納することを特徴とする請求項１または請求項２に記載の入出金装置。
【請求項４】
前記搬送部は、装置本体部内において正面視左右方向に所定間隔離れて配置された前記貨幣収納部の間に設けられていることを特徴とする請求項１から請求項３のいずれかに記載の入出金装置。
【請求項５】
装置本体部内の前記搬送部の下方位置に着脱自在に配置され、且つ、前記貨幣収納部からの硬貨を種類毎に回収する回収庫を有することを特徴とする請求項１から請求項４のいずれかに記載の入出金装置。
【請求項６】
請求項１から請求項５のいずれかに記載の入出金装置を備えた精算装置。
【発明の詳細な説明】
【技術分野】
【０００１】
本発明は、入出金装置、精算装置に関する。
【背景技術】
【０００２】
従来、一般的な精算装置は、硬貨投入口から投入された硬貨の判別器として縦長のアクセプタを有し、このアクセプタの下方に硬貨収納部（ホッパー）を備える（例えば、特許文献１参照）。
【先行技術文献】
【特許文献】
【０００３】
【特許文献１】特開２００２−０２４８７７号公報
【発明の概要】
【発明が解決しようとする課題】
【０００４】
しかしながら、特許文献１に記載の券売機では、縦長のアクセプタを備えており、硬貨収納部のホッパー払出し部分が、硬貨投入口から約５００ｍｍ以上離れた下方位置に配置されており、利用者にとって使い勝手が良好でないことがある。
【０００５】
また、例えば、返却時、硬貨回収ボックスから上方のホッパーまで硬貨を冗長な搬送路を介して搬送し硬貨返却口から払い出す構造では、硬貨の払出しまで比較的長い時間が掛かる。
また、上述した発券機では、装置本体部を小型化することが困難である。
【課題を解決するための手段】
【０００６】
本発明の入出金装置は、少なくとも以下の構成を具備するものである。
投入口から投入された貨幣を識別して収納し、排出口から貨幣を排出する入出金装置であって、
複数の貨幣収納部と、
前記貨幣収納部からの貨幣を前記排出口へ搬送する搬送部と、を有し、
前記複数の貨幣収納部は、前記搬送部へ貨幣を排出するための貨幣排出口を備え、
前記搬送部は、前記複数の貨幣収納部の下方に配置され、且つ、搬送方向の下流側が上流側よりも上方となるように、前記排出口へ向かって傾斜配置された搬送路を有し、
前記排出口は、前記投入口の近傍位置に設けられていることを特徴とする。
【０００７】
また、本発明に係る精算装置は、上記本発明に係る入出金装置を有することを特徴とする。詳細には、精算装置は、入出金装置と、入出金装置により適切に入金がなされた場合に所定の発券処理を行う発券部とを有する。
【発明の効果】
【０００８】
本発明の入出金装置は、硬貨投入口の近傍に硬貨の排出口が配置された、良好な操作性を有する小型の入出金装置を提供することができる。
また、硬貨の払出し時間の短い小型の入出金装置を提供することができる。
また、入出金装置を備えた小型の精算装置を提供することができる。
【図面の簡単な説明】
【０００９】
【図１】本発明の実施形態に係る入出金装置を備える精算装置の一例を示す斜視図。
【図２】本発明の実施形態に係る入出金装置の一例を示す概念図。
【図３】本発明の実施形態に係る入出金装置の一例を示す正面図。
【図４】本発明の実施形態に係る入出金装置の硬貨収納部や搬送部の配置の一例を説明するための図。
【図５】図３に示した入出金装置のＡ−Ａ線に沿った断面図。
【図６】本発明の一実施形態に係る入出金装置の一例を示す概念図。
【発明を実施するための形態】
【００１０】
本発明の実施形態に係る入出金装置（硬貨還流装置）は、投入口から投入された貨幣を識別して収納する。また、入出金装置は、必要に応じて、釣り銭などの貨幣を排出口から排出する。詳細には、入出金装置は、貨幣の種類に応じて異なる大きさの複数の貨幣収納部と、貨幣収納部からの貨幣を排出口へ搬送する搬送部を有する。複数の貨幣収納部は、搬送部へ貨幣を排出するための貨幣排出口が、各貨幣収納部の下端付近に備える。搬送部は、複数の貨幣収納部の下方に配置され、且つ、搬送方向の下流側が上流側よりも上方となるように、排出口へ向かって傾斜配置された搬送路を有する。排出口は、投入口の近傍位置に設けられている。
また、複数の貨幣収納部は、収納容量が少ない貨幣収納部ほど、装置本体部内で前面側である排出口側に配置されているとともに、搬送部へ貨幣を排出するための上記貨幣排出口が高い位置に設けられていてもよい。
【００１１】
以下、本発明の実施形態に係る入出金装置、及び精算装置を、図面を参照しながら説明する。本発明の実施形態は図示の内容を含むが、これのみに限定されるものではない。尚、以後の各図の説明で、既に説明した部位と共通する部分は同一符号を付して重複説明を一部省略する。
【００１２】
図１に示したように、本発明の実施形態に係る入出金装置１００（硬貨還流装置）は、投入口（硬貨投入口１１）、硬貨返却口としての排出口１２（硬貨出金口）、制御部（不図示）などを有する。また、券売機としての精算装置１０は、入出金装置１００を備える。装置本体部１００ＢＰの前面側には、投入口（硬貨投入口１１）、排出口１２、受け皿１２Ｕ、硬貨返却レバー１３、紙幣投入口１４、紙幣返却口１５、発券部２１、発行口２２、操作表示部２５などが設けられている。
【００１３】
制御部は、入出金装置１００や精算装置１０の各構成要素を統括的に制御する。例えば、制御部は、タッチパネルなどの操作表示部２５に所定の表示処理を行う。また、制御部は、利用者（操作者）による操作入力に応じた所定の処理を行う。
発券部２１は、入出金装置により適切に入金がなされた場合に所定の発券処理を行う。
【００１４】
図２〜図５に示したように、入出金装置１００は、貨幣として硬貨Ｃが投入される投入口（硬貨投入口１１）、釣り銭などの硬貨（貨幣）を排出する排出口１２、識別部２０１、選別部２０２、選別用搬送路２０３（搬送路）、選別部２０２の下方に配置される貨幣収納部１０１（ホッパー）、貨幣収納部１０１からの貨幣を排出口１２へ搬送する搬送部１３０、下端規制部材１３５、側部規制部材１３６、回収庫１６０（回収ボックス）、などを有する。
【００１５】
投入口（硬貨投入口１１）は、装置本体部１００ＢＰの前面側の中央部から上端部の間に設けられ、貨幣としての硬貨Ｃが投入される。
【００１６】
排出口１２は、硬貨投入口１１の下方近傍位置に配置されており、釣り銭などの硬貨や規定外の硬貨などを排出する。排出口１２の下方には、排出口１２からの硬貨を受ける受け皿１２Ｕが設けられている。
【００１７】
識別部２０１は、硬貨投入口１１から投入された貨幣としての硬貨Ｃの種類を識別する。また、識別部２０１により硬貨投入口１１から投入された硬貨Ｃが規定外であると判断された場合、その規定外の硬貨がリジェクトダクト９（返却用流路）を通って排出口１２へ排出される。
【００１８】
選別用搬送路２０３（搬送路）は、識別部２０１により識別された貨幣としての硬貨を、装置本体部の前面側から後面側に向かって搬送する。選別用搬送路２０３の側面側には、例えば、無端ベルト、回転軸、プーリー、回転軸駆動用モータ等で構成される駆動機構２０３ｍなどが設けられている（図３参照）。
【００１９】
選別部２０２は、選別用搬送路２０３により搬送される硬貨を、硬貨の種類毎に貨幣収納部１０１に振り分けて出力する。
【００２０】
本願発明者は、１０円硬貨、５０円硬貨、１００円硬貨、５００円硬貨を使用可能な精算装置１０において、各種類の硬貨それぞれの使用頻度の統計をとり、５０円硬貨や５００円硬貨は、１００円硬貨や１０円硬貨と比較して少ない使用頻度であることを確認した。
【００２１】
本実施形態では、複数の貨幣収納部１０１（硬貨収納部）であるホッパーのサイズが、硬貨の使用頻度に応じて設定されている。詳細には、使用頻度の少ない種類の硬貨を収納する収納部（ホッパー）は、使用頻度の多い種類の硬貨を収納する収納部よりも小さいサイズに設定されている。
【００２２】
つまり、貨幣収納部１０１は、貨幣の種類に応じて異なる大きさの複数の収納部を有する。詳細には、複数の貨幣収納部は、装置本体部内に配置された、硬貨の収納容量の多い第１の収納部１１０と、その第１の収納部１１０よりも硬貨の収納容量の少ない第２の収納部１２０を有する。また、第２の収納部１２０は、第１の収納部１１０と比較して使用頻度の少ない種類の硬貨を収納する。第２の収納部１２０は、第１の収納部１１０よりも、装置本体部内で前面側である排出口側に配置されている。また、第２の収納部１２０の下端部１２０ｂは、第１の収納部１１０の下端部１１０ｂよりも上方に位置している。
【００２３】
具体的には、本実施形態では、貨幣収納部１０１（硬貨収納部）は、使用頻度の多い１０円硬貨を収納する収納部１１１、使用頻度の多い１００円硬貨を収納する収納部１１２、使用頻度の少ない５０円硬貨を収納する収納部１２１、使用頻度の少ない５００円硬貨を収納する収納部１２２を有する。
【００２４】
尚、図２の概念図では、装置本体部１００ＢＰ内で前面側と後面側の間に、各収納部１２１，１２２，１１１，１１２が並んで配置されているように図示したが、具体的には、図３、図４、図５に示したように、収納部１２１，１２２は装置本体部内の前面側に配置され、収納部１１１，１１２は装置本体部内の後面側に配置され、且つ、正面視左側に収納部１２１，１１１が配置され、正面視右側に収納部１２２，１１２が配置されている。
【００２５】
また、貨幣収納部１０１の各収納部１１１、１１２、１２１、１２２には、切替機構ｓとして切替機構１１１ｓ，１１２ｓ，１２１ｓ，１２２ｓが設けられている。各切替機構ｓは、各収納部内の硬貨を、出金のために搬送部１３０へ排出する経路、又は回収庫１６０（回収ボックス）へ出力する経路に切替える切替機構ｓを有する。制御部は、特定の条件を満たす場合、例えば、貨幣収納部の各格納部内に収容されている貨幣の量が規定量以上である条件などを満たす場合に、切替機構ｓに対して、回収庫１６０へ出力する経路へ切り替える制御を行う。
【００２６】
また、貨幣収納部１０１の各収納部１１１、１１２、１２１、１２２の下端には、搬送部１３０へ貨幣を排出するための貨幣排出口１１１ｅ、１１２ｅ、１２１ｅ、１２２ｅが設けられている。貨幣排出口１２１ｅ、１２２ｅは、貨幣排出口１１１ｅ、１１２ｅと比較して、高い位置に設けられている。
【００２７】
つまり、複数の貨幣収納部１０１は、収納容量が少ない貨幣収納部ほど、装置本体部内で前面側である排出口側に配置されているとともに、搬送部１３０へ貨幣を排出するための貨幣排出口が高い位置に設けられている。
【００２８】
搬送部１３０は、複数の貨幣収納部１０１の下方に配置され、且つ、搬送方向の下流側が上流側よりも上方となるように、排出口１２へ向かって斜め上方に傾斜配置された搬送路１３０Ｔを有する。
【００２９】
ベルトコンベア等の搬送部１３０は、所定間隔だけ離れて配置された一対の回転軸１３２，１３３またはその回転軸に設けられたプーリー（不図示）に無端ベルト１３１が架け渡されている。無端ベルト１３１には載置面に複数の突起部１３１ａが設けられており、突起部１３１ａは載置面上の硬貨の移動を防止する。
【００３０】
搬送部１３０の搬送方向の上流側には下端規制部材１３５が設けられ、搬送部１３０の左右両サイドには側部規制部材１３６が設けられており、搬送部１３０からの硬貨の落下を防止する構造を備える。
【００３１】
回収庫１６０（回収ボックス）は、装置本体部１００ＢＰ内の搬送部１３０の下方位置に着脱自在に配置されている。この回収庫１６０は、第１の収納部１１０、及び第２の収納部１２０からの硬貨を種類毎に回収する。本実施形態では、回収庫１６０は、収納部１１１からの１０円硬貨を回収する回収庫１６１、収納部１１２からの１００円硬貨を回収する回収庫１６２（回収ボックス）、収納部１２１からの５０円硬貨を回収する回収庫１６３（回収ボックス）、収納部１２２からの５００円硬貨を回収する回収庫１６４（回収ボックス）を有する。
【００３２】
次に、本発明の実施形態に係る入出金装置１００の動作を説明する。
縦長の開口部を有する硬貨投入口１１から投入された硬貨Ｃは、識別部２０１により硬貨Ｃの種類が識別され、選別用搬送路２０３（搬送路）により装置本体部１００ＢＰの前面側から後面側に向かって搬送され、選別部２０２により、硬貨の種類毎に貨幣収納部１０１に振り分けられる。
【００３３】
貨幣収納部１０１の各収納部では、予め規定された量の硬貨が収納可能であり、必要に応じて制御部が切替機構ｓを制御することにより、各収納部内の硬貨を、搬送部１３０へ排出する、又は回収庫１６０（回収ボックス）へ出力する。
【００３４】
収納部から硬貨Ｃが搬送部１３０へ出力された場合、制御部の制御により、搬送部１３０では無端ベルト１３１が搬送方向に回転することで、硬貨が装置本体部の前面側へ、斜め上方向へ搬送路１３０Ｔに沿って排出口１２に搬送される。
そして、釣り銭などとして硬貨Ｃが排出口１２から受け皿１２Ｕ内に出力される。
【００３５】
また、回収庫１６０には硬貨の種類毎に硬貨Ｃが収容され、所定のタイミングで装置本体部内から取り出される。
【００３６】
以上、説明したように、本発明の実施形態に係る入出金装置１００（硬貨還流装置）は、投入口（硬貨投入口１１）から投入された貨幣としての硬貨Ｃを識別して、貨幣の種類毎に各貨幣収納部１０１に収納し、必要に応じて排出口１２（硬貨出金口）から貨幣を排出する。また、入出金装置１００は、貨幣の種類に応じて異なる大きさの複数の貨幣収納部１０１と、貨幣収納部１０１からの貨幣を排出口１２へ搬送する搬送部１３０と、を有する。複数の貨幣収納部１０１は、収納容量が少ない貨幣収納部ほど、装置本体部内で前面側である排出口側に配置されているとともに、各貨幣収納部１０１の下端に設けられている、搬送部１３０へ貨幣を排出するための貨幣排出口が高い位置に設けられている。
詳細には、複数の貨幣収納部１０１は、装置本体部１００ＢＰ内に配置された、第１の収納部１１０と、第１の収納部１１０よりも収納容量の少ない第２の収納部１２０と、を有する。第１の収納部１１０は、装置本体部１００ＢＰ内の後面側に配置されている。第２の収納部１２０は、第１の収納部１１０よりも装置本体部１００ＢＰ内で前面側である排出口側に配置されている。搬送部１３０は、複数の貨幣収納部１０１の下方に配置され、且つ、排出口１２へ向かって斜め上方に傾斜配置された搬送路１３０Ｔを有する。詳細には、搬送部１３０は、装置本体部１００ＢＰの後面側から前面側へ斜め上方向に傾斜配置された搬送路１３０Ｔを有する。
排出口１２（硬貨出金口）は、投入口（硬貨投入口１１）の近傍位置、本実施形態では、下方近傍位置に配置されている。
本実施形態では、第２の収納部１２０の下端部１２０ｂは、第１の収納部１１０の下端部１１０ｂよりも上方に位置している。
【００３７】
すなわち、入出金装置１００の装置内において、小さいサイズの第２の収納部１２０が、大きいサイズの第１の収納部１１０よりも前面側（排出口側）に配置されており、且つ、第１の収納部１１０と第２の収納部１２０の下方のスペースに、搬送部１３０が上記斜め配置されているので、入出金装置１００全体を小型化することができる。
【００３８】
また、本発明の実施形態に係る入出金装置１００は、硬貨投入口１１の下方近傍位置に硬貨の排出口１２が配置されており、利用者の操作性が良好である。
また、本発明の実施形態に係る入出金装置は、各収納部の下方位置に、搬送部１３０が上記斜め配置されており、硬貨が収納部から搬送路を介して排出口１２（硬貨出金口）へ搬送されるので、硬貨の払出し時間が短い。
【００３９】
本発明の実施形態に係る入出金装置１００は上記構造を有するので、硬貨収納部から斜め配置された搬送部を介して排出口１２へ硬貨を搬送する時間が比較的短い。具体的には、上記搬送時間を２秒程度にまで短縮することができる。
【００４０】
また、本発明の実施形態に係る入出金装置１００において、複数の貨幣収納部１０１は、収納容量が少ない貨幣収納部ほど、使用頻度の少ない種類の硬貨を収納する。詳細には、第２の収納部１２０は、第１の収納部１１０と比較して使用頻度の少ない種類の硬貨を収納する。本実施形態では、５０円硬貨や５００円硬貨の使用頻度は、１０円硬貨や１００円硬貨と比較して使用頻度が少ない。５０円硬貨を収納する収納部１２１や５００円硬貨を収納する収納部１２２は、１０円硬貨を収納する収納部１１１や１００硬貨を収納する収納部１１２と比較して、内容量が小さいサイズに設定されている。
すなわち、使用頻度の少ない種類の硬貨を収納する収納部１２１，１２２は、使用頻度の多い種類の硬貨を収納する収納部１１１，１１２と比較して硬貨の収納容量を小さく設定することができる。収納部１２１，１２２の下端部１２０ｂの位置を収納部１１１，１１２の下端部１１０ｂと比較して高い位置に設定することができる。
ゆえに、硬貨の使用頻度を考慮して、入出金装置の装置本体部を簡単な構造で小型化することができる。
また、硬貨の使用頻度を考慮して、収納部１２１，１２２の硬貨収納容量を比較的小さくしたとしても、硬貨の回収、支払いなどに関して、入出金装置を比較的長時間、実質的に支障なく動作させることができる。
【００４１】
また、本発明の実施形態に係る入出金装置１００は、投入口（硬貨投入口１１）から投入された貨幣としての硬貨の種類を識別する識別部２０１と、貨幣収納部１０１よりも上方に配置され、識別部２０１により識別された硬貨を、装置本体部の前面側から後面側に向かって搬送する選別用搬送路２０３（搬送路）と、選別用搬送路２０３により搬送される硬貨を、その硬貨の種類毎に第１の収納部１１０または第２の収納部１２０へ振り分ける選別部２０２と、を有する。
【００４２】
また、本発明の実施形態に係る入出金装置１００の搬送部１３０は、装置本体部内において正面視左右方向に所定間隔離れて配置された貨幣収納部１０１の間で、且つ、貨幣収納部１０１の下方の位置に配置されている。
詳細には、搬送部１３０は、収納部１１１、収納部１１２、収納部１２１、収納部１２２よりも下方位置に配置され、且つ、上面視で、収納部１１１と収納部１１２の間、収納部１２１と収納部１２２の間に配置されている。
すなわち、搬送部１３０が上記位置に配置されているので、装置全体を小型化することができる。また、硬貨収納部からの硬貨を、上記斜め配置された搬送部１３０を介して排出口１２へ短時間で搬送することができる。
【００４３】
また、本発明の実施形態に係る入出金装置１００は、装置本体部１００ＢＰ内の搬送部１３０の下方位置に着脱自在に配置された回収庫１６０を有する。この回収庫１６０は、第１の収納部１１０及び第２の収納部１２０等からの硬貨を種類毎に回収するように構成されている。
すなわち、硬貨を種類毎に容易に回収することができる、簡単な構成の入出金装置を提供することができる。
【００４４】
また、本発明の実施形態に係る精算装置１０（券売機）は、上記入出金装置１００を有する。詳細には、精算装置１０は、上記入出金装置１００と、入出金装置１００と協働して発券を行う発券部２１とを有する。すなわち、小型の精算装置１０を提供することができる。
【００４５】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【００４６】
また、上述した実施形態では、収納容量の少ない収納部１２１、１２２が、収納容量の多い収納部１１１、１１２よりも、装置本体部内で前面側である排出口側に配置されており、搬送部１３０へ貨幣を排出するための貨幣排出口１２１ｅ、１２２ｅが、貨幣排出口１１１ｅ、１１２ｅよりも高い位置に設けられた構造（貨幣収納部の下端が２段構造）となっていたが、この形態に限られるものではない。
例えば、入出金装置は、収納容量の異なる３つ以上の貨幣収納部を備え、収納容量が少ない貨幣収納部ほど、装置本体部内で前面側である排出口側に配置されているとともに、収納容量が少ない貨幣収納部ほど、搬送部１３０へ貨幣を排出するための貨幣排出口が高い位置に設けられていてもよい。
【００４７】
また、例えば、硬貨収納部は、使用頻度に応じた収納量となるように、収納量を可変とする機構を備えてもよい。収納量を可変とする機構を備えた硬貨収納部としては、例えば、筒状の硬貨収納部の本体部に、その本体部から軸方向に沿って下方、又は上方に延出自在な可動部が設けられた機構であってもよい。
また、硬貨収納部は、入出金装置の本体部の取り付け位置を簡単に変更できる構造を有していてもよい。
【００４８】
また、精算装置は、上記硬貨の入出金を行う機構と、紙幣の入出金を行う機構を有し、硬貨と紙幣を同時、又は略同時に入出金可能に構成されていてもよい。
【００４９】
また、図６に示したように、精算装置は、複数の収納部が、装置本体部１００ＢＰ内の前面側から後面側にかけて、収納量の少ない順に並べて配置されていてもよい。この場合、搬送部は、複数の収納部の下方に配置され、下流側が上流側と比べて上方に位置するように配置されている。
【００５０】
また、複数の収納部のうち一つの収納部だけ、他の収納部と比較して収納量が少なく設定されていてもよい。搬送部の搬送路の一部分は、この収納量の少ない収納部の下方位置に配置されていることが好ましい。また、収納量の多い収納部から、上記搬送部の搬送路へコインを導く筒状等の導路を設けてもよい。
【符号の説明】
【００５１】
１０…精算装置（券売機）
１１…硬貨投入口
１２…排出口
２１…発券部
１００…入出金装置（硬貨還流装置）
１００ＢＰ…本体部
１０１…貨幣収納部
１１０…第１の収納部（貨幣収納部）
１１１…収納部（１０円硬貨収納部）
１１２…収納部（１００円硬貨収納部）
１２０…第２の収納部（貨幣収納部）
１２１…収納部（５０円硬貨収納部）
１２２…収納部（５００円硬貨収納部）
１３０…搬送部
１３０Ｔ…搬送路
１６０…回収庫（回収ボックス）
２０１…識別部
２０２…選別部
２０３…搬送部
Ｃ…硬貨（貨幣）
【図１】
2018036925.tif 000003
【図２】
2018036925.tif 000004
【図３】
2018036925.tif 000005
【図４】
2018036925.tif 000006
【図５】
2018036925.tif 000007
【図６】
2018036925.tif 000008
【手続補正書】
【提出日】平成29年9月1日(2017.9.1)
【手続補正１】
【補正対象書類名】特許請求の範囲
【補正対象項目名】全文
【補正方法】変更
【補正の内容】
【特許請求の範囲】
【請求項１】
貨幣の投入口及び貨幣の排出口を装置の前面側に備え、
前記投入口から投入された貨幣を識別部で識別して収納し、前記排出口から貨幣を排出する入出金装置であって、
前記識別部の下方に配置された、鉛直方向の長さが異なる複数の貨幣収納部と、
前記貨幣収納部からの複数金種の貨幣を前記排出口へ搬送する搬送部と、を有し、
前記複数の貨幣収納部は、前記鉛直方向の長さが長い貨幣収納部を装置後方に配置し、前記鉛直方向の長さが短い貨幣収納部を装置前方に配置し、
前記搬送部は、前記装置前方に配置された貨幣収納部の前記搬送部への貨幣排出口が前記装置後方に配置された貨幣収納部の前記搬送部への貨幣排出口よりも上方となるように、前記排出口へ向かって傾斜して配置されることを特徴とする入出金装置。
【請求項２】
前記鉛直方向の長さが長い硬貨収納部は１系の貨幣種を収納し、前記鉛直方向の長さが短い硬貨収納部は５系の貨幣種を収納することを特徴とする請求項１に記載の入出金装置。
【請求項３】
前記搬送部は、装置本体部内において正面視左右方向に所定間隔離れて配置された前記貨幣収納部の間に設けられ、前記左右に配置された貨幣収納部の貨幣排出口から排出された複数種の貨幣を搬送することを特徴とする請求項１または請求項２に記載の入出金装置。
【請求項４】
前記識別された貨幣を前記複数の貨幣収納部に選別する選別用搬送路を更に有し、
前記選別用搬送路は、前記左右方向に所定間隔離れて配置された貨幣収納部の間の上方に設けられていることを特徴とする請求項３に記載の入出金装置
【請求項５】
装置本体部内の前記搬送部の下方位置に着脱自在に配置され、且つ、前記貨幣収納部からの硬貨を種類毎に回収する回収庫を有することを特徴とする請求項１から請求項４のいずれかに記載の入出金装置。
【請求項６】
請求項１から請求項５のいずれかに記載の入出金装置を備えた精算装置。
【手続補正２】
【補正対象書類名】明細書
【補正対象項目名】０００４
【補正方法】変更
【補正の内容】
【０００４】
特許文献１に記載のような券売機では、硬貨の返却時、硬貨回収ボックスから上方のホッパーまで硬貨を冗長な搬送路を介して搬送し硬貨返却口から払い出すため、硬貨の払出しまで比較的長い時間が掛かる。
【手続補正３】
【補正対象書類名】明細書
【補正対象項目名】０００５
【補正方法】変更
【補正の内容】
【０００５】
また、上述した発券機では、装置本体部を小型化することが困難である。
【手続補正４】
【補正対象書類名】明細書
【補正対象項目名】０００６
【補正方法】変更
【補正の内容】
【０００６】
本発明の入出金装置は、少なくとも以下の構成を具備するものである。
貨幣の投入口及び貨幣の排出口を装置の前面側に備え、
前記投入口から投入された貨幣を識別部で識別して収納し、前記排出口から貨幣を排出する入出金装置であって、
前記識別部の下方に配置された、鉛直方向の長さが異なる複数の貨幣収納部と、
前記貨幣収納部からの複数金種の貨幣を前記排出口へ搬送する搬送部と、を有し、
前記複数の貨幣収納部は、前記鉛直方向の長さが長い貨幣収納部を装置後方に配置し、前記鉛直方向の長さが短い貨幣収納部を装置前方に配置し、
前記搬送部は、前記装置前方に配置された貨幣収納部の前記搬送部への貨幣排出口が前記装置後方に配置された貨幣収納部の前記搬送部への貨幣排出口よりも上方となるように、前記排出口へ向かって傾斜して配置されることを特徴とする。
【手続補正５】
【補正対象書類名】明細書
【補正対象項目名】０００８
【補正方法】変更
【補正の内容】
【０００８】
本発明の入出金装置は、硬貨の払出し時間の短い小型の入出金装置を提供することができる。
また、入出金装置を備えた小型の精算装置を提供することができる。
【手続補正６】
【補正対象書類名】明細書
【補正対象項目名】００５０
【補正方法】変更
【補正の内容】
【００５０】
また、複数の収納部のうち一つの収納部だけ、他の収納部と比較して収納量が少なく設 定されていてもよい。搬送部の搬送路の一部分は、この収納量の少ない収納部の下方位置 に配置されていることが好ましい。また、収納量の多い収納部から、上記搬送部の搬送路 へコインを導く筒状等の導路を設けてもよい。
［付記１］
特許文献１に記載の券売機では、縦長のアクセプタを備えており、硬貨収納部のホッパー払出し部分が、硬貨投入口から約５００ｍｍ以上離れた下方位置に配置されており、利用者にとって使い勝手が良好でないことがある。
［付記２］
本発明の実施形態は、以下のように記載される。
本実施形態の入出金装置は、投入口から投入された貨幣を識別部で識別して収納し、排出口から貨幣を排出する入出金装置であって、
前記識別部の下方に配置された、鉛直方向の長さが異なる複数の貨幣収納部と、
前記貨幣収納部からの複数金種の貨幣を前記排出口へ搬送する搬送部と、を有し、
前記複数の貨幣収納部は、前記鉛直方向の長さが長い貨幣収納部を装置後方に配置し、前記鉛直方向の長さが短い貨幣収納部を装置前方に配置し、
前記搬送部は、前記装置前方に配置された貨幣収納部の前記搬送部への貨幣排出口が前記装置後方に配置された貨幣収納部の前記搬送部への貨幣排出口よりも上方となるように、前記排出口へ向かって傾斜して配置され、
前記排出口は、前記投入口の近傍位置に設けられていることを特徴とする。
［付記３］
本実施形態の入出金装置によれば、硬貨投入口の近傍に硬貨の排出口が配置された、良好な操作性を有する小型の入出金装置を提供することができる。